(57)【特許請求の範囲】
【請求項１】
外面側に配置される不透液性の外装シート材と、肌面側に配置され、少なくとも一部が透液性である表面シート材と、さらに表面シート材と外装シート材との間に設けられた吸収体とを有するおむつ本体に、使い捨て補助パッドが取り付けられた使い捨ておむつであって、
前記おむつ本体の表面シート材は、エンボスされていない不織布材料からなるトップシートと前記トップシートの幅方向両側に配置されたエンボスされた不織布材料からなるサイドシートとを有し、前記トップシートが吸収体を被覆し、前記エンボスされた不織布材料からなるサイドシートは、前記トップシートの幅方向両側縁部の上部に接合され、吸収体の両側縁に沿って一対の立ち上がりフラップを形成し、
前記使い捨て補助パッドは、透液性のトップシートと、不透液性のバックシートと、前記トップシートと前記バックシートの間に配置された吸収体とを有し、前記バックシートの裏面側におむつ本体の表面シート材に着脱可能に止着する止着部材が設けられており、
前記使い捨て補助パッドの止着部材が、前記表面シート材のエンボスされていない不織布部材からなるトップシートに係合し、エンボスされた不織布材料からなるサイドシートには係合しておらず、前記使い捨ておむつは、使い捨て補助パッドが左右にずれて、前記止着部材が、エンボスされた不織布材料からなるサイドシートに接触しても、エンボスされた不織布材料からなるサイドシートには係合しづらく、止着部材が、エンボスされた不織布材料からなるサイドシートと係合してしまうことによるサイドシートの機能低下を防ぐことができることを特徴とする使い捨ておむつ。
【請求項２】
前記表面シート材が、さらに、おむつ本体の表面シート材と外装シート材との間に設けられた吸収体の長さ方向端部を覆うエンド押さえシートを有し、前記エンド押さえシートがエンボスされていない不織布材料からなるものである請求項１に記載の使い捨ておむつ。
【請求項３】
前記使い捨て補助パッドは、長さ方向に、前側部と後側部と前側部と後側部の間に位置する股部とを有し、幅方向に、中央部と中央部の両側に位置する両側縁部とを有し、前記止着部材が、使い捨て補助パッドの前側部と後側部における幅方向の両側縁部に設けられている請求項１または２に記載の使い捨ておむつ。
【請求項４】
前記おむつ本体は、パンツ型である請求項１〜３のいずれか一項に記載の使い捨ておむつ。
【請求項５】
請求項１〜４のいずれか一項に記載の使い捨ておむつに使用するための使い捨て補助パッド。
【請求項６】
請求項１〜４のいずれか一項に記載の使い捨ておむつに使用するためのおむつ本体。
【発明の詳細な説明】
【技術分野】
【０００１】
本発明は、使い捨ておむつに関するものであり、より詳細には、おむつ本体に使い捨て補助パッドを取り付けてなる使い捨ておむつに関するものである。
【背景技術】
【０００２】
近年、固定部材としてフック部材を用いた使い捨て補助パッドに関する技術が開発されている。例えば、特許文献１には、透液性のトップシート、吸収体および非透液性のバックシートが積層されている使い捨て補助パッドであって、前記バックシートの外表面には、繊維群に着脱自在に接合することのできる略矩形状の面ファスナが、補助パッドの中心部から補助パッドの長さ方向一端縁側に偏って設けられていることを特徴とする補助パッドが開示されている。
【０００３】
特許文献２には、互いに対向して縦方向へ延びる両側縁部と、互いに対向して横方向へ延びる両端縁部とを有し、透液性表面シートと、不透液性裏面シートと、それらシートの間に介在する吸液性コアと、前記表面シートの外面に位置して前記縦方向へ延びる一対の液抵抗性防漏シートとから構成され、前記防漏シートそれぞれが、前記両側縁部に位置して前記表面シートに固着された固定側部と、前記縦方向へ延びる弾性伸縮性部材を伸長状態で取り付けて前記表面シートの外面から上方へ起立性向を有する自由側部と、前記両端縁部に位置して前記表面シートに固着された固定端部とを備えた体液吸収性インナーパネルにおいて、前記インナーパネルを保持するアウター部材の内面に掛着可能であって前記横方向へ連続して延びる少なくとも１つの略矩形状の雄型面ファスナが、前記裏面シートの所要の部位に位置して前記裏面シートの外面に固着され、前記防漏シートの固定側部と固定端部との少なくとも一方が、前記インナーパネルの両側縁部から前記裏面シートの外面の側へ延び、かつ、前記インナーパネルの両側縁部に位置する前記面ファスナの横方向両端部を被覆した状態で前記裏面シートと前記面ファスナとに固着されていることを特徴とする前記インナーパネルが開示されている。
【０００４】
特許文献３には、透水性表面シートと、不透水性裏面シートと、これら両シート間に介在する吸収性コアと、を有し、前記裏面シートに着衣の内面に取り外し可能に装着できる取付け部材を備えた吸収性物品において、前記取付け部材が基板にほぼ垂直に立設した軸と、該軸の先端において少なくとも一方向に伸延した突出部によって形成されたキャップと、から構成されるフック素子を複数個有するファスナーのフック部材であって、前記キャップの長手方向あるいは直角方向の少なくともいずれか一方において、前記フック素子のキャップ径が２７５μｍから３７５μｍであることを特徴とする吸収性物品が開示されている。
【０００５】
特許文献４には、透液性表面シート、不透液性裏面シート、および、これら透液性表面シートと不透液性裏面シートとの間に配設された吸収体を備えた長手方向両端部および幅方向両側部を有する形状の吸収性物品体を具備し、この吸収性物品体は、前記透液性表面シートおよび不透液性裏面シートの少なくともいずれか一方により前記吸収体の外方に第１のフラップ部が形成され、前記透液性表面シートの表面側に、前記吸収性物品体の長手方向に沿ってこの吸収性物品体の幅方向の両側部に自由端状の第２のフラップ部が前記不透液性表面シートにて形成され、前記不透液性裏面シートの前記吸収体と反対側に、前記吸収性物品体の長手方向に沿って自由端状の第３のフラップ部が形成され、前記第２のフラップ部は、基端側が前記透液性表面シートおよび不透液性裏面シートのいずれか一方に固定され、先端側に前記吸収性物品体の長手方向に沿って第２フラップ用弾性体が配設され、前記第３のフラップ部は、基端側が前記不透液性裏面シートに固定され、先端側に前記吸収性物品体の長手方向に沿って第３フラップ用弾性体が配設されていることを特徴とした使い捨て吸収性物品が開示されている。
【０００６】
特許文献５には、透液性のトップシートと、不透液性のバックシートと、前記トップシートと前記バックシートの間に配設された吸収体とを備え、おむつ本体に取り付けられて使用されるインナー吸収性物品であって、前記おむつ本体は、外装体と、前記外装体の幅方向両側縁部の各々に沿って形成され、着用者の脚周りに接触する一対の脚周りギャザーとを備え、前記バックシートの裏面の幅方向両側縁部の各々に沿って、前記おむつ本体に着脱自在に止着される第１の止着部材が設けられていることを特徴とするインナー吸収性物品が開示されている。
【先行技術文献】
【特許文献】
【０００７】
【特許文献１】特開平９−２７６３１２号公報
【特許文献２】特開２００１−１２９０１１号公報
【特許文献３】特開２００３−２１０５２４号公報
【特許文献４】特開２００４−３０５４６５号公報
【特許文献５】特開２００９−２４０５６１号公報
【発明の概要】
【発明が解決しようとする課題】
【０００８】
おむつ本体に使い捨て補助パッドを取り付けて使用する使い捨ておむつには、両者の適合性が求められている。適合性が低い場合には、使い捨て補助パッドをおむつ本体に取り付けにくかったり、あるいは、使い捨ておむつを着用している間に使い捨て補助パッドがすぐに外れてしまうという問題があった。例えば、使い捨て補助パッドの止着部材が、おむつ本体の立ち上がりフラップに係合して、立ち上がりフラップの横漏れ防止機能を阻害するという問題があった。本発明は、上記事情に鑑みてなされたものであり、使い捨て補助パッドとおむつ本体との適合性が高い使い捨ておむつを提供することを目的とする。
【課題を解決するための手段】
【０００９】
上記課題を解決した本発明の使い捨ておむつは、外面側に配置される不透液性の外装シート材と、肌面側に配置され、少なくとも一部が透液性である表面シート材とを有するおむつ本体に、使い捨て補助パッドが取り付けられた使い捨ておむつであって、前記おむつ本体の表面シート材は、エンボスされていない不織布材料からなるトップシートと前記トップシートの幅方向両側に配置されたエンボスされた不織布材料からなるサイドシートとを有し、前記使い捨て補助パッドは、透液性のトップシートと、不透液性のバックシートと、前記トップシートと前記バックシートの間に配置された吸収体とを有し、前記バックシートの裏面側におむつ本体の表面シート材に着脱可能に止着する止着部材が設けられており、前記使い捨て補助パッドの止着部材が、前記表面シート材のエンボスされていない不織布材料からなるトップシートに係合し、エンボスされた不織布材料からなるサイドシートには係合していないことを特徴とする。
【００１０】
本発明の使い捨ておむつは、使い捨て補助パッドをおむつ本体に重ねて接合する際に、止着部材が、おむつ本体の表面シート材のエンボスされていない不織布製トップシートに係合する。止着部材は、エンボスされていない不織布製トップシートと係合しやすいため、使い捨て補助パッドと使い捨ておむつはしっかりと係合することができる。また、仮に使い捨て補助パッドが左右にずれて、止着部材があやまって不織布製サイドシートに接触しても、不織布製サイドシートはエンボスされているため、止着部材が係合しづらい。その結果、止着部材が、不織布製サイドシートと係合してしまうことによるサイドシートの機能低下（倒れる、しわになるなど）を防ぐことができる。
【００１１】
前記おむつ本体としては、例えば、さらに表面シート材と外装シート材との間に設けられた吸収体を有し、前記トップシートが吸収体を被覆し、前記トップシートの幅方向両縁部の上部に、立ち上がりフラップを構成するための前記サイドシートが接合されているものが好ましい。
【００１２】
前記表面シート材が、さらに、吸収体の長さ方向端部を覆うエンド押さえシートを有し、前記エンド押さえシートがエンボスされていない不織布材料からなるものであることが好ましい。使い捨て補助パッドが前後方向にずれた場合にも、使い捨て補助パッドがエンド押さえシートの部分に係合するからである。
【００１３】
前記使い捨て補助パッドは、長さ方向に、前側部と後側部と前側部と後側部の間に位置する股部とを有し、幅方向に、中央部と中央部の両側に位置する両側縁部とを有し、前記止着部材が、使い捨て補助パッドの前側部と後側部における幅方向の両側縁部に設けられていることが好ましい。止着部材を上記のように配置しておくことにより、使い捨て補助パッドの取り付け作業が容易になる。
【００１４】
前記おむつ本体は、パンツ型であることが好ましい。
【００１５】
本発明には、本発明の使い捨ておむつに使用するための使い捨て補助パッドおよびおむつ本体が含まれる。
【発明の効果】
【００１６】
本発明の使い捨ておむつは、使い捨て補助パッドとおむつ本体との適合性に優れ、横漏れ防止機能が高い。
【図面の簡単な説明】
【００１７】
【図１】本発明の好ましい実施形態の使い捨て補助パッドの平面図（トップシート側から見た平面図。一部切り欠きあり）。
【図２】本発明の好ましい実施形態の使い捨て補助パッドの裏面図（バックシート側から見た平面図）。
【図３】図１の使い捨て補助パッドのＩ−Ｉ線の断面模式図。
【図４】本発明の好ましい実施形態の使い捨て補助パッドの平面図（トップシート側から見た平面図。一部切り欠きあり）。
【図５】本発明の好ましい実施形態の使い捨て補助パッドの裏面図（バックシート側から見た平面図）。
【図６】図４の使い捨て補助パッドのＩＩ−ＩＩ線の断面模式図。
【図７】本発明の好ましい実施形態の使い捨て補助パッドの裏面図（バックシート側から見た平面図）。
【図８】本発明の好ましい実施形態のおむつ本体の平面図（トップシート側から見た展開図）。
【図９】図８のおむつ本体のＩＩＩ−ＩＩＩ線の断面模式図。
【図１０】図８のおむつ本体のＩＶ−ＩＶ線の断面模式図。
【図１１】別の好ましいおむつ本体の断面模式図。
【図１２】使い捨て補助パッドの使用例を説明する説明図。
【図１３】使い捨て補助パッドの使用例を説明する説明図。
【図１４】使い捨て補助パッドとおむつ本体の係合状態を説明する説明図。
【図１５】使い捨て補助パッドのおむつ本体への取り付け方を説明する説明図。
【発明を実施するための形態】
【００１８】
本発明の使い捨ておむつは、外面側に配置される不透液性の外装シート材と、肌面側に配置され、少なくとも一部が透液性である表面シート材とを有するおむつ本体に、使い捨て補助パッドが取り付けられた使い捨ておむつであって、前記おむつ本体の表面シート材は、エンボスされていない不織布材料からなるトップシートと前記トップシートの幅方向両側に配置されたエンボスされた不織布材料からなるサイドシートとを有し、前記使い捨て補助パッドは、透液性のトップシートと、不透液性のバックシートと、前記トップシートと前記バックシートの間に配置された吸収体とを有し、前記バックシートの裏面側におむつ本体の表面シート材に着脱可能に止着する止着部材が設けられており、前記使い捨て補助パッドの止着部材が、前記表面シート材のエンボスされていない不織布材料からなるトップシートに係合し、エンボスされた不織布材料からなるサイドシートには係合していないことを特徴とする。
【００１９】
まず、本発明で使用する使い捨て補助パッドについて説明する。本発明で使用する使い捨て補助パッドは、透液性のトップシートと、不透液性のバックシートと、前記トップシートと前記バックシートとの間に配置された吸収体とを有する。
【００２０】
前記透液性のトップシートは、透液性のシート材料、例えば、親水性繊維により形成された不織布であり、着用者からの排泄物の水分を速やかに捕捉して吸収体へと移動させる。トップシートとして利用される不織布は、例えば、ポイントボンド不織布やエアスルー不織布、スパンレース不織布、スパンボンド不織布であり、これらの不織布を形成する親水性繊維としては通常、セルロースやレーヨン、コットン等が用いられる。なお、トップシートとして、表面を界面活性剤により親水化処理した疎水性繊維（例えば、ポリプロピレン、ポリエチレン、ポリエステル、ポリアミド、ナイロン）にて形成された透液性の不織布が用いられてもよい。
【００２１】
吸収体は、透液性のトップシートと、不透液性のバックシートとの間に配置され、トップシートを透過した水分を吸収して迅速に固定する。吸収体は、例えば、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成される。親水性繊維を包むティッシュペーパーや透液性不織布等は、親水性繊維および吸水性ポリマーとホットメルト接着剤により接合されることが好ましい。親水性繊維の型崩れ、および、吸水性ポリマーの脱落（特に、吸水後における脱落）を防止することができる。
【００２２】
バックシートとしては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、バックシートに到達した排泄物の水分等が、使い捨て補助パッドの外側にしみ出すのを防止する。バックシートにプラスチックフィルムが利用される場合、ムレを防止して着用者の快適性を向上するという観点からは、透湿性（通気性）を有するプラスチックフィルムが利用されることが好ましい。
【００２３】
本発明の使い捨て補助パッドのバックシートの裏面側には、止着部材が設けられている。この止着部材により、使い捨て補助パッドをおむつ本体の内面に着脱可能に取り付けることができる。
【００２４】
止着部材としては、おむつ本体の内面に着脱可能に取り付けることができるものであれば、特に限定されず、例えば、粘着テープやフック部材を有する面ファスナーなどを挙げることができる。前記止着部材としては、基材シートと基材シート上に起立する複数のフック部材を有し、前記フック部材は、ステムと、前記ステムの先端に設けられたヘッドとを有し、前記ヘッドは、平面視で、短径と前記ステムの径よりも大きい長径とを有する形状であるものが好ましい。
【００２５】
前記フック部材は、平面視で、ヘッドが、ステムから少なくとも長径方向に張り出す形状を有している。前記ヘッド形状を有するフック部材は、長径方向には係合力が強く、短径方向には係合力が弱くなる。従って、止着部材を、ヘッドの長径方向が、使い捨て補助パッドの幅方向に一致するように取り付ければ、使い捨て補助パッドの係合力が、使い捨て補助パッドの幅方向には強く、長さ方向には弱くなる。その結果、使い捨て補助パッドは、幅方向にはずれにくく、長さ方向には容易に取り外すことができる。
【００２６】
前記フック部材のヘッドの短径は、特に限定されないが、ステムの径に等しいか、あるいは、ステムの径よりも大きいことが好ましい。ヘッドが短径方向にもステムから張り出せば、短径方向の係合力が向上する。
【００２７】
フック部材のヘッド形状は、特に限定されないが、平面視で、略矩形状または略楕円形状であることが好ましい。ヘッドは、長径方向の一方向のみにステムから張り出していてもよいが、長径方向の二方向にステムから張り出していることが好ましい。ステムの断面形状（平面視）は、円形、多角形、あるいは、十字形状やＸ型の異形断面形状を有してもよい。また、ステムは、円柱状、角柱状、円錐状、角錐状などのいずれであってもよいが、円柱状または円錐状が好ましい。ステムは、平面視でヘッド形状のほぼ中央に結合していることが好ましい。
【００２８】
前記ヘッドの長径は、特に限定されないが、２５０μｍ以上が好ましく、３５０μｍ以上がより好ましく、５００μｍ以下が好ましく、４５０μｍ以下がより好ましい。前記ヘッドの短径は、特に限定されないが、１７０μｍ以上が好ましく、１８０μｍ以上がより好ましく、２５０μｍ未満が好ましく、２００μｍ以下がより好ましい。
【００２９】
フック部材のステムの高さは、特に限定されないが、２００μｍ以上が好ましく、２５０μｍ以上がより好ましく、７００μｍ以下が好ましく、３５０μｍ以下がより好ましい。また、フック部材のステムの径は、特に限定されないが、１２０μｍ以上が好ましく、１５０μｍ以上がより好ましく、２５０μｍ未満が好ましく、２００μｍ以下がより好ましい。なお、円錐状や角錐状のステムの場合には、ステム径が高さによって変化するが、ステム径としては、ヘッドと結合している部分のステム径を採用する。また、ステムの断面形状が、十字型やＸ型の異形断面形状の場合には、異形断面形状に外接する外接円の中で、最小径を有する外接円の径をステム径とする。
【００３０】
基材シート上のフック部材の密度は、特に限定されないが、１ｃｍ２当たり２２５個以上が好ましく、２４０個以上がより好ましく、２５６個以下が好ましく、２５０個以下がより好ましい。１ｃｍ２当たり２２５個以上にすることにより、係合力が高くなり、使い捨て補助パッドを着衣にしっかりと固定することができる。
【００３１】
フック部材は、基材シート上に整列していることが好ましく、ヘッドの長径方向を一致させて整列していることがより好ましい。ヘッドの長径方向を一致させて整列することにより、フック部材の係合力の異方性が高くなる。
【００３２】
基材シートの形状は、特に限定されないが、円形、楕円形、または、矩形状などが挙げられ、矩形状がより好ましい。この場合、基材シートの長さは、３００ｍｍ以上が好ましく、５００ｍｍ以下が好ましい。基材シートの幅は、１０ｍｍ以上が好ましく、３０ｍｍ以下が好ましい。基材シートの厚みは、５０μｍ以上が好ましく、１５０μｍ以下が好ましい。
【００３３】
基材シートおよびフック部材を構成する材料としては、ポリエチレン、ポリプロピレン、ポリアミド、ポリエステルなどの熱可塑性樹脂が好ましく、ポリエチレンまたはポリプロピレンが好ましい。
【００３４】
基材シートと基材シート上に起立する複数のフック部材を有する止着部材を成形する方法としては、例えば、多数の微孔を持つローラー上に溶融樹脂を圧入し、基材シート上にフック部材を一体成形する方法、あるいは、基材シートとその表面に複数の列状の隆起を成形するように付形されたダイを通して溶融樹脂を押し出し、前記列状の隆起に小間隔で横に切れ目を入れ、次いで、基材シートを延伸して、連続した列状の隆起から多数のフック部材を形成する方法などを挙げることができる。
【００３５】
本発明の使い捨て補助パッドは、長さ方向に、前側部と後側部と前側部と後側部の間に位置する股部とを有し、幅方向に、中央部と中央部の両側に位置する両側縁部とを有する。使用に際して、使い捨て補助パッドの前側部が、着用者の腹側に当接し、後側部が着用者の臀部側に当接する。
【００３６】
本発明では、止着部材が、使い捨て補助パッドの前側部と後側部に取り付けられ、前記使い捨て補助パッドの長さ方向股部には、止着部材が存在しない領域を設けられていること、および／または、止着部材が、幅方向の両側縁部に取り付けられ、前記使い捨て補助パッドの幅方向中央部には、止着部材が存在しない領域を設けられていることが好ましい。
【００３７】
使い捨て補助パッドの長さ方向股部あるいは幅方向中央部に、止着部材が存在しない領域を設けることにより、使い捨て補助パッドを取り付ける際に、使い捨て補助パッドとおむつ本体との間に指を挿入することができる。その結果、取り付け作業や位置調整が容易になる。また、長さ方向股部あるいは幅方向中央部において、使い捨て補助パッドとおむつ本体が固定されていない。その結果、使い捨て補助パッドが、おむつ本体の動きに追従しすぎることが抑制され、使い捨て補助パッドの着用者へのフィット性が低下せず、尿漏れが低減する。
【００３８】
本発明の使い捨て補助パッドの形状は、長辺両側縁と短辺両端縁とを有する略矩形状であることが好ましい。また、長辺両側縁に、着用者の股間部分に沿いやすいように脚用切り欠き部が設けられた砂時計形状であってもよい。使い捨て補助パッドの大きさは、おむつ本体の股部に収まるような大きさであることが好ましい。
【００３９】
使い捨て補助パッドには、長辺両側縁に沿って、長さ方向に延びる一対の起立部が設けられていてもよい。起立部は、尿などの横漏れを防止して、排泄物の水分を速やかに吸収体へと移動させる。起立部は、不透液性のサイドシートで構成されていることが好ましい。起立部に用いられるサイドシートとしては、不透液性バックシートの材料として用いるものを挙げることができる。前記起立部は、例えば、吸収体の上面の幅方向両側に設けられてもよく、吸収体の側縁より外側に設けられてもよい。起立部は、トップシートの幅方向両側に設けられたサイドシートの内方端が立ち上げられて、形成されてもよい。起立部の自由端（内方端）には弾性部材が設けられることが好ましく、当該弾性部材の収縮力により起立部が着用者の肌に向かって立ち上がる。弾性部材については、ポリウレタン糸や天然ゴムシートなどの伸縮性材料が用いられる。
【００４０】
次に、本発明で使用し得るおむつ本体について説明する。本発明で使用し得るおむつ本体としては、例えば、外面側に配置される不透液性の外装シート材と、肌面側に配置され、少なくとも一部が透液性である表面シート材とを有するおむつ本体であって、前記おむつ本体の表面シート材は、エンボスされていない不織布材料からなるトップシートと前記トップシートの幅方向両側に配置されたエンボスされた不織布材料からなるサイドシートとを有するものであれば特に限定されない。
【００４１】
例えば、おむつ本体が、透液性のトップシートと、不透液性のバックシートと、前記透液性トップシートと不透液性のバックシートとの間に吸収体を有し、前記透液性のトップシートの幅方向両側縁部の上部に接合されたサイドシートが、吸収体の両側縁に沿って一対の立ち上がりフラップを形成する場合、前記透液性のトップシートと前記透液性のトップシートの幅方向両側縁部の上部に接合するサイドシートとが、表面シート材に相当し、不透液性のバックシートが外装シート材に相当する。
【００４２】
例えば、おむつ本体が、内側シートと外側シートからなる積層体と、前記積層体の肌面側に、透液性トップシートと不透液性バックシートとの間に吸収体が挟み込まれた吸収性本体とを有し、透液性トップシートの幅方向両側縁部の上部に接合されたサイドシートが、吸収体の両側縁に沿って一対の立ち上がりフラップを形成する場合、前記透液性のトップシートと前記透液性のトップシートの幅方向両側縁部の上部に接合するサイドシートが、表面シート材に相当し、内側シートと外側シートからなる積層体が外装シート材に相当する。
【００４３】
前記おむつ本体としては、前腹部と後背部とこれらの間に位置する股部とから構成され、前腹部と後背部とが側縁で接合されることによりウェスト開口部と一対の脚開口部とが形成されたパンツ型おむつが好ましい。
【００４４】
おむつ本体の各部の名称については、パンツ型おむつを着用の際に、着用者の腹側に当てる部分を前腹部と称し、着用者の臀部側に当てる部分を後背部と称し、前腹部と後背部との間に位置し着用者の股間に当てる部分を股部と称する。股部とは、パンツ型おむつ本体の前腹部と後背部との接合を解いて平面に展開した状態で、おむつ前後方向に３分割した中間に位置する部分であり、パンツ型に形成された場合におむつ幅方向両側縁が接合されない部分を意味する。おむつ前後方向とは、使い捨てパンツ型おむつの前腹部から後背部にかけての方向を意味し、おむつ幅方向とは、パンツ型おむつの前腹部と後背部との接合を解いて平面に展開した状態で、パンツ型おむつと同一面上にあり、前記前後方向に直交する方向を意味する。
【００４５】
外装シート材を構成するシート材料としては、漏れ防止の点から、不透液性または撥水性不織布が好ましく、例えば、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムを挙げることができる。外装シート材にプラスチックフィルムが利用される場合、ムレを防止して着用者の快適性を向上するという観点からは、透湿性（通気性）を有するプラスチックフィルムが利用されることが好ましい。
【００４６】
おむつ本体には、前腹部や後背部のウェスト開口縁に沿ってウェスト用弾性部材が設けられることが好ましい。ウェスト用弾性部材により、着用者が寝ている状態でも、背中側や腹部側からの尿等の排泄物の漏れが起こりにくくなる。ウェスト用弾性部材は、複数本設けられてもよい。
【００４７】
おむつ本体には、脚開口縁に沿って脚用弾性部材が設けられることが好ましい。脚用弾性部材により、脚開口縁からの尿等の排泄物の漏れが防止される。なお、脚開口縁とは、おむつ本体の脚開口部周りの縁を意味する。脚用弾性部材は、複数本設けられてもよい。
【００４８】
おむつ本体には、前腹部および／または後背部に複数の胴周り用弾性部材がおむつ本体幅方向に設けられることが好ましい。胴周り用弾性部材により、おむつの下腹部と臀部周りのフィット性が向上する。
【００４９】
各弾性部材は、ポリウレタン糸、ポリウレタンフィルム、天然ゴム等の通常使い捨ておむつに用いられる弾性伸縮材料を用いることができる。各弾性部材は、伸張状態で、ホットメルト接着剤で外装シート材および／または表面シート材に固定することが好ましい。ホットメルト接着材としては、ゴム系ホットメルト接着剤が好ましい。
【００５０】
おむつ本体の肌面側には、少なくとも一部が透液性である表面シート材が配置され、前記おむつ本体の表面シート材は、エンボスされていない不織布材料からなるトップシートと前記トップシートの幅方向両側に配置されたエンボスされた不織布材料からなるサイドシートとを有する。エンボスされていない不織布材料からなるトップシートは、透液性を有し、エンボスされた不織布材料からなるサイドシートは、不透液性を有することが好ましい。以下、エンボスされていない不織布材料からなるトップシートを単に「非エンボストップシート」と称し、エンボスされた不織布材料からなるサイドシートを単に「エンボスサイドシート」と称する場合がある。
【００５１】
不織布材料からなるサイドシートのエンボスは、サイドシート全体に形成されていることが好ましい。サイドシート全体に形成しておくことにより、止着部材がサイドシートのいずれの箇所に接触しても、係合しにくくなる。エンボスの種類も、特に限定されず、模様や図柄などであってもよいし、線状、点状などのパターンであってもよい。
【００５２】
おむつ本体の表面シート材を構成する透液性の非エンボストップシートは、着用者からの排泄物の水分を速やかに捕捉して、表面シート材と外装シート材との間に配置された吸収体へと移動させるのに好適である。また、不透液性のエンボスサイドシートは、立ち上がりフラップを構成することが好ましい。立ち上がりフラップは、尿などの横漏れを防止して、排泄物の水分を速やかに吸収体へと移動させる。
【００５３】
立ち上がりフラップの端部（着用者側の端部）には、起立用弾性部材が設けられていることが好ましい。起立用弾性部材の収縮力により、着用者側に立ち上がる立ち上がりフラップが形成され、尿等の横漏れが防止される。
【００５４】
本発明で使用し得るおむつ本体は、外装シート材と表面シート材との間に吸収体を有することが好ましい。吸収体は、尿等の排泄物を吸収できるものであれば特に限定されず、吸水性樹脂を含んでいることが好ましい。吸収体は、例えば、粉砕したパルプ繊維やセルロース繊維等の親水性繊維集合層に粒状の吸水性樹脂を混合したものを、ティッシュペーパーなどの紙シートまたは液透過性不織布シート等の被覆シートで包み、長方形、砂時計型、ひょうたん型、羽子板型等の所定形状に成形することにより得られる。
【００５５】
前記表面シート材は、さらに、吸収体の前後端部を被覆するように、エンボスされていない不織布材料からなるエンド押さえシートを有することが好ましい。使い捨て補助パッドが前後方向にずれた場合にも、止着部材がエンボスされていない不織布材料からなるエンド押さえシートに係合できるからである。
【００５６】
本発明の使い捨ておむつは、使い捨て補助パッドをおむつ本体に重ねて接合する際に、止着部材が、表面シート材のエンボスされていない不織布製トップシートに係合する。止着部材は、エンボスされていない不織布製トップシートと係合しやすいため、使い捨て補助パッドとおむつ本体がしっかりと係合することができる。また、仮に使い捨て補助パッドが左右にずれて、止着部材があやまって不織布製サイドシートに接触しても、不織布製サイドシートはエンボスされているため、止着部材が係合しづらい。その結果、止着部材が、不織布製サイドシートと係合してしまうことによるサイドシートの機能低下（倒れる、しわになるなど）を防ぐことができる。
【００５７】
以下、図面を参照しながら、本願発明を詳細に説明するが、本願発明は、図面に示された態様に限定されるものではない。
【００５８】
図１〜図３には、本発明で使用し得る使い捨て補助パッドの好ましい実施態様（第１実施形態１）を示した。図１は、肌面側から見た平面図であり、図２は、裏面側から見た裏面図である。図３は、Ｉ−Ｉ線における断面図である。以下、本発明では、着用者の左側に当たる側を左側と称し、着用者の右側に当たる側を右側と称す。従って、図２に向かって右側は左側であり、向かって左側は右側である。（図１では向かって右側が右側であり、向かって左側は左側である。）
【００５９】
使い捨て補助パッド１は、透液性のトップシート２と、不透液性のバックシート３と、両シートの間に挟まれて配置された吸収体４とで主に構成されている。吸収体４は、ホットメルト接着剤などでトップシート２およびバックシート３と接合されており、さらに吸収体４から外方へ延出するトップシート２およびバックシート３のフラップ部分は接着剤などで互いに接合されて、吸収体４や吸収体４が吸収した尿等の排泄物が外方へ漏れ出さないように保持されている。なお、図１から図３の例では、バックシート３は吸収体４の上方へ巻き上げられ、吸収体４の幅方向側縁２４はバックシート３で覆われている。これは、吸収体４や吸収体４が吸収した尿等の排泄物が外方へ漏れ出さないようにより強固に保持するための措置である。
【００６０】
使い捨て補助パッド１は、長さ方向１８、幅方向１９、厚さ方向２０を有している。使い捨て補助パッド１は、長さ方向１８に、前側部１２、後側部１４、及び、前側部１２と後側部１４との間に位置する股部１３を有し、幅方向１９に、中央部１６と、中央部の両側に位置する両側縁部１５，１７とを有している。なお、前記股部１３のフラップ部分は、着用者の股間部分に沿いやすいように脚用切り欠き部８を設け括れている。さらに吸収体４の股部縁２５も同様に括れている。図２では、使い捨て補助パッド１をほぼ３等分する２点鎖線を２本引いて示しており、２点鎖線間を中央部１６とし、２点鎖線の外方の部分を両側縁部１５，１７としている。
【００６１】
使い捨て補助パッド１には、止着部材１０，１１がバックシート３の裏面側に設けられている。ここで、裏面側とは図３に向かって下側のことであり、着用者のおむつ本体の内面に面する側である。図３に向かって上側は、着用者の肌に面する側である。前側止着部材１０は、前側部１２における両側縁部１５，１７にそれぞれ配置されている。後側止着部材１１は、後側部１４における両側縁部１５，１７中にそれぞれ配置されている。前後止着部材１０および１１は、それぞれ長さ方向の端縁２９と幅方向側縁３０を有する長方形状のものとして描かれている。しかしながら、形状はこの形に限定されない。
【００６２】
止着部材１０，１１には、フック部材を有する面ファスナーを用いることが好ましい。該フック部材は、ポリエチレンやポリプロピレンなどのプラスティック部材で作られた薄く柔軟なものが好ましく、ベースとなる基材シート上に複数のフック部材が整列して立っているものが好ましい。
【００６３】
フック部材からなる止着部材１０，１１は、該フック部材をおむつ本体の内面に向くように、バックシート３の裏面に取り付けられる。該フック部材がおむつ本体の内面に係合することで、使い捨て補助パッド１がおむつ本体に接合する。止着部材がフック部材であれば、繰り返し取り付けができて、位置調整が容易な上、おむつ本体の内面を損傷することも少なくなる。
【００６４】
各止着部材の幅方向側縁３０は、使い捨て補助パッド１の側縁２２に沿うように配置することが好ましい。また、側縁３０の長さ２６の方が、端縁２９の長さ３１よりも長いことが好ましい。そのような止着部材の配置関係と寸法関係により、使い捨て補助パッド１をおむつ本体に固定した際に、長さ方向に対するずれを起こしにくくすることができる。ずれが起こりにくいことで、使い捨て補助パッドが着用者の股間の適切な位置にフィットし続けるため、尿等の排泄物の漏れを防ぐことができる。
【００６５】
止着部材は、使い捨て補助パッドの幅方向側縁２２から、離間して設けられていることが好ましく、止着部材の外方の側縁３０が、使い捨て補助パッドの側縁２２から１０ｍｍ以上内方に位置することが好ましい。止着部材を、使い捨て補助パッドの幅方向側縁２２から離間して設けることにより、使い捨て補助パッド１の幅方向側縁２２から止着部材１０までの間隔２７において、使い捨て補助パッド１が、おむつ本体に接合されず自由な状態になる。この間隔２７の部分についても、作業者が指でつまむことができ、位置調整のために使うことができる。また、この間隔２７の部分は、おむつ本体の動きに追従しないため、おむつ本体との関連によって曲がったり、折れたりすることがなく、それら曲がり・折れに起因する排泄物の漏れを防ぐことができる。
【００６６】
前記間隔２７の幅方向１９における寸法は、１０ｍｍ以上であることが好ましく、１５ｍｍ以上がより好ましく、３０ｍｍ以下が好ましく、２５ｍｍ以下がより好ましい。３０ｍｍを越える寸法であると、自由度があり過ぎて、補助パッド単独で折れ曲がりやすくなる。また、１０ｍｍ未満の寸法であると作業者がつまみにくく作業しづらくなる。
【００６７】
前側止着部材１０および後側止着部材１１は、それぞれ左右の止着部材間に間隔２８が設けられていることが好ましい。この間隔があるために左右の止着部材の間に手を入れて作業することができ、おむつ本体に取り付ける際に位置を調整し易くなる。着用者の体型や姿勢に合わせて適切な位置に使い捨て補助パッドを取り付けることで確実にフィットさせることができ、結果として漏れを軽減することができる。
【００６８】
前記左右の止着部材間の間隔２８は、５０ｍｍ〜９０ｍｍとすることが好ましい。５０ｍｍより小さい間隔では装着作業者の手や指が入りづらくなる。また、９０ｍｍよりも大きい間隔では使い捨て補助パッドの止着が不安定になる。
【００６９】
図１および図３を参照すると、トップシート２の幅は使い捨て補助パッド１の幅よりも狭く設定されており、トップシート２の両側縁部の下面は、バックシート３の折り返し端９のやや外方上面と第１の接合部３２において接合されている。トップシート２の幅方向外方にはサイドシート５が接合されて配置されている。サイドシート５の第１の折り返し縁３６よりやや外方の部分の下面は、トップシート２の上面と第２の接合部３３により接合されている。なお、その他のサイドシート５の下面もトップシート２の上面や折り返されたバックシート３の上面と接合されている（図示せず）。第２の接合部３３よりも内方のサイドシート５の部分は、延伸した状態で貼り付けられた弾性部材７の収縮力により着用者の肌に向かって起立する起立部６となっている。
【００７０】
図１および図３の例では、起立部６は、第１の折り返し縁３６で外方に向かって折り返され、次いで第２の折り返し縁３４で内方に向かって折り返され、次いで第３の折り返し縁３５で弾性部材７を覆うように内方に向かって折り返される。弾性部材７は、第３の折り返し縁３５の内部に伸張状態で取り付けられている。折り畳まれた起立部６は、使い捨て補助パッド１の長さ方向１８の端縁付近においては折り畳まれた状態で固定されている。その固定された部分の間の起立部６は固定されていないので、弾性部材７の収縮力により着用者の肌に向かって起立する。起立部６は、主に着用者の股間部において起立するため、股間部における尿等の排泄物の横漏れを防ぐことができる。
【００７１】
弾性部材７については、ポリウレタン糸や天然ゴムシートなどの伸縮性材料が用いられる。材料の接合には、ホットメルト接着剤による接合や、熱溶融接合が用いられる。
【００７２】
図４から図６には、本発明の別の好ましい実施態様（第２実施形態１０１）を示している。使い捨て補助補助パッド１０１では、バックシート３が吸収体４の幅方向側縁２４に沿って巻き上げられてはおらず、側縁２４から外方へ延出している。また、サイドシート５も側縁２４から外方へ延出しており、延出したサイドシート５とバックシート３を互いに接合してフラップ部分を形成している。上記の点以外は、基本的に第１実施形態と同じである。
【００７３】
止着部材の外方の側縁は、吸収体の幅方向側縁から１０ｍｍ以上内方に位置することが好ましい。図１から図３の補助パッド１では、吸収体４の側縁２４と補助パッド１の側縁２２がほぼ一致しているが、図４から図６の補助パッド１０１では、吸収体４の側縁２４は補助パッド１０１の側縁２２よりも内方にある。止着部材の側縁３０と吸収体４の側縁２４との間隔４３については、１０ｍｍ以上であることが好ましく、１５ｍｍ以上がより好ましく、３０ｍｍ以下が好ましい。３０ｍｍを越える寸法であると、自由度があり過ぎて、補助パッド単独で折れ曲がりが発生しやすくなる。また、１０ｍｍ未満の寸法であると作業者がつまみにくく作業しづらくなる。
【００７４】
第１実施形態、第２実形態ともにサイドシート５を用いて、横漏れ防止用の起立部６を設けている。変形例としてサイドシート５を用いず、トップシート２のみで表面全体を覆ってもよい。その他、本発明の主旨が許す範囲で変形しても差し支えない。
【００７５】
図７には、本発明の使い捨て補助パッドの別の好ましい実施態様（第３実施形態２０１）を示した。図７は、使い捨て補助パッドを裏側から見た裏面図である。使い捨て補助パッド２０１では、止着部材の取り付け位置を変更している。前記変更点以外は、基本的に第１実施形態と同じである。止着部材は、幅方向中央部１６の前側部１２と後側部１４に取り付けられ、前記使い捨て補助パッドの長さ方向股部には、止着部材が存在しない領域が設けられている。使い捨て補助パッド２０１のような態様においても、本発明の効果を奏することができ、さらに止着部材の数が少ないので製造コストを低減できる。
【００７６】
図８に、本発明で使用し得るおむつ本体の一例を示す（展開図）。おむつ５５は、長さ方向１８に前腹部６０と後背部６２とを有し、前腹部６０と後背部６２との間に股部６１を有する。前腹部６０は、着用者の腹側に当接し、後背部６２は着用者の臀部側に当接する。股部６１には、着用者の脚周りに沿うように切欠き６５が設けられている。図８の使い捨ておむつ本体５５では、前腹部６０の側縁６３と後背部６２の側縁６４とを接合して、ウエスト開口部と一対の脚開口部を有するパンツ型おむつとなる。
【００７７】
おむつ本体５５は、外装シート材５６の肌面側に吸収性本体５７が貼り付けられている。吸収性本体５７は股部６１の中央より長さ方向１８に沿って延びている。
【００７８】
おむつ本体には、外装シート材５６の端縁７２に沿って、前側ウエスト用弾性部材６６と後側ウエスト用弾性部材６７が幅方向に伸張された状態で取り付けられている。また、切欠き部６５に沿って、前側脚用弾性部材７０と後側脚用弾性部材７１とが伸張された状態で取り付けられている。前腹部６０と後背部６２のそれぞれにおいて、ウエスト用弾性部材と脚用弾性部材との間に、前側胴周り用弾性部材６８と後側胴周り用弾性部材６９が幅方向に伸張された状態で取り付けられている。各弾性部材の収縮により使い捨ておむつ５５が着用者にフィットする。
【００７９】
図９は、図８のおむつ本体のＩＩＩ−ＩＩＩ線における断面を模式的に説明する図である。図９を参照して、使い捨ておむつ５５の構造について説明する。外装シート材５６は、外側シート７３と内側シート７４とで構成され、両シート間に、ウエスト用弾性部材６６，６７、脚用弾性部材７０，７１、胴周り用弾性部材６８，６９が伸張状態で取り付けられている。外側シート７３は内側シート７４よりも長さ方向において長くなっており、端縁７２において内面側（肌面側）に折り返されて折返し部７９を形成している。
【００８０】
内側シート７４の肌面側には、吸収性本体５７が取り付けられている。吸収性本体５７は、吸収体７６と、吸収体７６の内面側に設けられたエンボスされていない不織布材料からなるトップシート５８と、吸収体７６の外面側に設けられた不透液性のバックシート７５とを有する。図１０に示すようにエンボスされていない不織布材料からなるトップシート５８の幅方向の両側縁部の上部には、エンボスされた不織布材料からなるサイドシート５９が接合されている。サイドシート５９は、長さ方向に伸張状態で取り付けられた弾性部材８４の収縮力によって着用者の肌に向かって起立する立ち上がりフラップを形成し、尿等の横漏れを防ぐバリヤーとしての役割を果たす。表面シート材は、透液性の非エンボストップシート５８と不透液性のエンボスサイドシート５９を含む。
【００８１】
図１１は、おむつ本体の別の好ましい態様を説明する模式的断面図である。透液性の非エンボストップシートの両側縁部の上部に不透液性のエンボスサイドシートが接合されている。接合点より内方のサイドシートは、着用者の肌に向かって起立する立ち上がりフラップを形成する。接合点より外方のサイドシートは、吸収体７６の側縁より外方に延出してバックシート７３と接合している。表面シート材は、表面シート材は、透液性の非エンボストップシート５８と不透液性のエンボスサイドシート５９を含む。
【００８２】
以下、本発明の使い捨て補助パッドをおむつ本体に取り付けて使用する態様について、図１２〜１５を参照しながら、さらに詳細に説明する。図１２に示すように使い捨て補助パッド１は２つ折り部３７により２つに折られている。２つに折られた状態で、図１３に示すようにおむつ本体３８の内面４１、４２に重ねて接合する。
【００８３】
図１４には、おむつ本体５５に使い捨て補助パッド１を重ね合わせる場面の断面模式図を示す。使い捨て補助パッド１のバックシート３の裏面に設けられた止着部材１０，１１は、エンボスされていない不織布材料で構成されるトップシート５８に係合する。そして、止着部材１０，１１は、エンボスされた不織布材料で構成される左右のサイドシート５９の間に位置するため、不織布製サイドシート５９には基本的に係合しない。仮に少しずれて不織布製サイドシートに接触しても、サイドシートはエンボスされているために、フック部材を有する止着部材は、容易に係合しない。本発明によれば、このように止着部材が、誤ってサイドシートに係合してしまうことを防ぐことが出来る。
【００８４】
誤って使い捨て補助パッドの止着部材１０，１１が不織布製サイドシート５９に係合してしまうと、不織布製サイドシートが倒れたり、しわになったりしてバリヤーとしての機能を失なってしまう恐れがある。本発明ではそのような心配がなく、不織布製サイドシートのバリヤー機能を損なうことなく重ね合わせることができる。
【００８５】
さらに、トップシート不織布５８はエンボスされていない不織布材料によって構成されているのでフック部材が係合しやすく、重ね合わせた使い捨て補助パッドのずれを防止することができる。トップ不織布５８に係合しやすいように、止着部材１０，１１は、幅１００ｍｍの範囲内に設けることが好ましい。
【００８６】
図８において、２点鎖線で示す使い捨て補助パッド仮想線８０が、典型的な使い捨て補助パッドを重ねた位置となる。特に止着部材仮想線８１が、不織布製トップシート５８上にあり、不織布製サイドシート５９には重ならないように位置している。さらに、使い捨て補助パッドが長さ方向にずれた場合を示すのが、第２の使い捨て補助パッド仮想線８２および第２の止着部材仮想線８３である。８２，８３のように吸収性本体５７が存在する領域から外れるようなところまでずれた場合、止着部材８３が係合しなくなる恐れがある。そこで、本発明のおむつ本体５５では、内側シート７４の内面の前腹部６０と後背部６２において吸収性本体５７の長さ方向端部を覆うように前側エンド押さえシート７７と後側エンド押さえシート７８を設け、さらにそれらエンド押さえシートにエンボスされていない不織布材料を使うことで、止着部材を係合させてやることができる。
【００８７】
エンド押さえシートにより、使い捨て補助パッドが長さ方向にずれてしまった場合でも、止着部材を容易に係合させることができ、使い捨て補助パッドと使い捨ておむつの適合性が低下することがない。
【００８８】
ここで不織布製トップシート５８やエンド押さえシート７７，７８に用いるエンボスされていない不織布材料としては、エアースルー不織布、スパンレース不織布、ニードルパンチ不織布、ケミカルボンド不織布など、繊維間の結合に熱エンボス結合を使わない不織布材料を使うことが好ましい。最も好ましいのは、目付１０〜４０ｇ／ｍ２のエアースルー不織布である。
【００８９】
また、サイドシート５９として用いるエンボスされた不織布材料としては、スパンボンド不織布、ＳＭＳ不織布、ポイントボンド不織布など、繊維間の結合に熱エンボス結合を使う不織布材料を使うことが好ましい。最も好ましいのは、目付１０〜３０ｇ／ｍ２のスパンボンド不織布もしくはＳＭＳ不織布である。なお、それらスパンボンド不織布もしくはＳＭＳ不織布は、外側シート７３や内側シート７４にも好ましく使用することができる。
【００９０】
図１５では、使い捨て補助パッド１をおむつ本体に取り付ける態様を示した。おむつ本体３８の前側の内面４１（斜線で示す部分）に使い捨て補助パッド１を重ねた状態で、内面４１に前側止着部材１０を接合している。左右の前側止着部材１０間は固定されていないので、図１５のように作業者の手３９の指４０が、補助パッドの裏面とおむつ本体の内面との間に入る。このことにより、一旦接合した状態でも使い捨て補助パッドをしっかりと持って接合状態を調整することができる。このように、左右の止着部材を離間させると、止着部材がおむつ本体の立ち上がりフラップに係合しやすくなるが、本発明では、立ち上がりフラップを構成する不織布製のサイドシートとしてエンボス処理されたものを使用しているので、止着部材が立ち上がりフラップに係合することがない。また、股部１３には止着部材は配置されない。よって、股部１３は、おむつ本体３８の動きに関連せず、おむつ本体３８の動きに起因する捩れ、しわなどが発生しない。特に股部１３の吸収体４が捩れたり、しわになったりすると吸収力の低下を招きやすいので、その部分に影響が無いことが望ましい。
【００９１】
図１５に示すように、止着部材は、使い捨て補助パッドの幅方向側縁２２から、離間して設けられている。使い捨て補助パッド１の幅方向側縁２２から止着部材１０までの間隔２７において、使い捨て補助パッド１が、おむつ本体に接合されず自由な状態になる。この間隔２７の部分についても、作業者が指でつまむことができ、位置調整のために使うことができる。また、この間隔２７の部分は、おむつ本体３８の動きに追従しないため、おむつ本体との関連によって曲がったり、折れたりすることがなく、それら曲がり・折れに起因する排泄物の漏れを防ぐことができる。
【産業上の利用可能性】
【００９２】
本発明は、使い捨て補助パッドとおむつ本体とを有する使い捨ておむつして有用である。
【符号の説明】
【００９３】
１：使い捨て補助パッド、２：トップシート、３：バックシート、４：吸収体、５：サイドシート、６：起立部、７：弾性部材、８：脚用切り欠き部、９：バックシート折り返し端部、１０：前側止着部材、１１：後側止着部材、１２：前側部、１３：股部、１４：後側部、１５：側縁部、１６：中央部、１７：側縁部、１８：長さ方向、１９：幅方向、２０：厚さ方向、２１：長さ方向端縁、２２：幅方向側縁、２３：吸収体の長さ方向端縁、２４：吸収体の幅方向側縁、２５：吸収体の股部縁、２６：止着部材の長さ、２７：止着部材の側縁と使い捨て補助パッドの側縁との間隔、２８：左右の止着部材間の間隔、２９：止着部材の長さ方向端縁、３０：止着部材の幅方向側縁、３１：止着部材の幅、３２：第１の接合部、３３：第２の接合部、３４：第２の折返し縁、３５：第３の折返し縁、
３６：第１の折返し縁、３７：２つ折り部、３８：おむつ本体、３９：作業者の手、４０：作業者の指、４１：外側おむつ本体の前側の内面、４２：外側おむつ本体の後側の内面、４３：止着部材の側縁と吸収体の側縁との間隔、５５：おむつ本体（外側おむつ本体３８）、５６：外装シート材、５７：吸収性本体、５８：不織布製トップシート、５９：不織布製サイドシート、６０：前腹部、６１：股部、６２：後背部、６３：前側側縁部、６４：後側側縁部、６５：股部切欠き、６６：前側ウエスト用弾性部材、６７：後側ウエスト用弾性部材、６８：前側胴周り用弾性部材、６９：後側胴周り弾性部材、７０：前側脚用弾性部材、７１：後側脚用弾性部材、７２：端縁、７３：外側シート、７４：内側シート、７５：バックシート、７６：吸収体、７７：前側エンド押さえシート、７８：後側エンド押さえシート、７９：折返し部、８０：使い捨て補助パッド仮想線、８１：止着部材仮想線、８２：第２の使い捨て補助パッド仮想線、８３：第２の止着部材仮想線、８４：弾性部材
【図１】
0005793003.tif 000002
【図２】
0005793003.tif 000003
【図３】
0005793003.tif 000004
【図４】
0005793003.tif 000005
【図５】
0005793003.tif 000006
【図６】
0005793003.tif 000007
【図７】
0005793003.tif 000008
【図８】
0005793003.tif 000009
【図９】
0005793003.tif 000010
【図１０】
0005793003.tif 000011
【図１１】
0005793003.tif 000012
【図１２】
0005793003.tif 000013
【図１３】
0005793003.tif 000014
【図１４】
0005793003.tif 000015
【図１５】
0005793003.tif 000016